【手続補正書】
【提出日】平成21年12月28日(2009.12.28)
【手続補正１】
【補正対象書類名】明細書
【補正対象項目名】００１０
【補正方法】変更
【補正の内容】
【００１０】
本発明のさまざまな態様に関する上述された特徴に対するさまざまな改善策が存在する。追加の特徴が、これらのさまざまな態様にも取り入れられうる。これらの改善策および追加の特徴は、個別にも組み合わせとしても存在しうる。例えば、１つ以上の図示されている実施形態に関して以下で述べられるさまざまな特徴は、単独または任意の組み合わせで上述された本発明の態様へと組み込まれうる。上述されている簡潔な結論は、権利主張されている対象物に制限をあたえることなしに、読者に本発明のいくつかの態様および背景について説明することのみを目的としている。
したがって、本発明は、以下の項目を提供する：
（項目１）
ルアー取付具であって、
雄ルアーと、
この雄ルアーのまわりに配置されているルアーカラーと、
この雄ルアーとこのルアーカラーとの間のレセプタクルの基部に配置されている支点と、
を含む、ルアー取付具。
（項目２）
上記支点から、上記レセプタクルへ奥に延びている空間を含む、項目１に記載の取付具。
（項目３）
上記空間が、上記支点のまわりに同心円状に配置されている、項目２に記載の取付具。
（項目４）
上記空間が、上記レセプタクルに向かい軸方向にネジ山の直下に配置されている、項目２または３に記載の取付具。
（項目５）
上記支点が、おおむね環状の構造を含み、上記空間がおおむね環状の溝を含む、項目２、３または４に記載の取付具。
（項目６）
上記雄ルアーが、おおむね円錐形の外側表面を含み、上記ルアーカラーが、内側表面に沿って配置されている１つ以上のネジ山を含む、項目１〜５のいずれか一項に記載の取付具。
（項目７）
上記おおむね円錐形の外側表面が、上記雄ルアーの先端から上記レセプタクルの基部へとおおむね発散する幾何学を有する、項目６に記載の取付具。
（項目８）
上記ルアーカラーの内側表面が、このルアーカラーの端部から上記レセプタクルの基部へとおおむね収束する幾何学を有する、項目６または７に記載の取付具。
（項目９）
上記レセプタクルが、上記基部に結合クリアランス間隙を含む、項目１〜８のいずれか一項に記載の取付具。
（項目１０）
上記結合クリアランス間隙が、雌ルアーの半径方向の厚みに加え追加の半径方向のクリアランスに等しい半径方向の寸法を含む、項目９に記載の取付具。
（項目１１）
上記ルアー取付具が、放射能遮蔽材料を含む、項目１〜１０のいずれか一項に記載の取付具。
（項目１２）
上記ルアー取付具は、シリンジ、管状材料、止め栓、医療装置、またはそれらの組み合わせの部品である、項目１〜１１のいずれか一項に記載の取付具。
（項目１３）
上記ルアー取付具は、容器の部品であり、この容器が、放射性医薬品、造影剤、体液、医用流体、物質、またはそれらの組み合わせを含む、項目１〜１２のいずれか一項に記載の取付具。
（項目１４）
耐破損性取付具であって、
中央流体通路を有する雄部と、
この雄部とおおむね同心円状である補助固定部と、
この雄部とこの補助固定部との間にある環状レセプタクルであって、この環状レセプタクルが、半径方向または軸方向、あるいはそれらの組み合わせの方向で、結合雌取付具より実質的に大きいサイズの結合クリアランス間隙を有する基礎領域を含む、レセプタクルと、
を含む、耐破損性取付具。
（項目１５）
上記結合クリアランス間隙が、軸方向のつめおよび軸方向のくぼみを含む、項目１４に記載の取付具。
（項目１６）
上記結合クリアランス間隙が、結合取付具の半径方向の厚みより実質的に大きい半径方向の厚みを有する環状の間隙を含む、項目１４または１５に記載の取付具。
（項目１７）
上記耐破損性取付具が、ネジ山補助圧縮取付具を含む、項目１４〜１６のいずれか一項に記載の取付具。
（項目１８）
上記耐破損性取付具が、ルアー取付具を含む、項目１４〜１７のいずれか一項に記載の取付具。
（項目１９）
上記環状レセプタクルが、おおむねこの環状レセプタクルへと上記基礎領域へ向かい軸方向に減少する半径寸法を含む、項目１４〜１７のいずれか一項に記載の取付具。
（項目２０）
上記耐破損性取付具が、シリンジの部品である、項目１４〜１７のいずれか一項に記載の取付具。
（項目２１）
上記耐破損性取付具が、容器の部品であり、この容器が、放射性医薬品、造影剤、体液、医用流体、物質、またはそれらの組み合わせを含む、項目１４〜１７のいずれか一項に記載の取付具。
（項目２２）
雄ルアーおよび雌ルアーを接続させる方法であって、この方法は：
雄ルアーのまわりに雌ルアーを、おおむね軸方向にこの雌ルアーおよびこの雄ルアーの間の接合面へ、受け入れる工程と、
この雌ルアーの外側部分をこの雄ルアーのまわりの構造内のネジ山路にそって誘導する工程と、
この外側部分にこの雄ルアーおよびこの構造の間のこの接合面に対して、１つ以上の方向にクリアランスを設ける工程と、
を含む、方法。
（項目２３）
上記外側部分に１つ以上の方向にクリアランスを設ける工程が、支点の近くで、おおむね軸方向に上記接合面より深く、くぼみへ向かってこの外側部分を変形させる工程を含む、項目２２に記載の方法。
（項目２４）
上記くぼみが、おおむね環状の間隙を含み、上記支点がおおむね環状の構造を含む、項目２３に記載の方法。
（項目２５）
上記外側部分に１つ以上の方向にクリアランスを設ける工程が、半径方向のクリアランスを介して、上記雌ルアーの外側部分および上記雄ルアーの間の半径方向の力を実質的にまたは全面的に除去することを含む、項目２２〜２４のいずれか一項に記載の方法。
（項目２６）
上記半径方向のクリアランスが、上記雌ルアーの外側部分および上記雄ルアーの内側表面の間のおおむね環状の間隙である、項目２５に記載の方法。
（項目２７）
上記雌ルアーおよび雄ルアーが、中央流体通路を含む、項目２２〜２６に記載の方法。
（項目２８）
被験体、医療装置、またはそれらの組み合わせに対して、上記雄ルアーを通して医用流体を流す工程を含む、項目２２〜２７に記載の方法。
（項目２９）
耐破損性取付具を使用する方法であって、この方法は、
流体転送のために耐破損性取付具を医療装置に接続する工程を含み、この耐破損性取付具は、第１管状部材、この第１管状部材の近くに配置されている第２管状部材、この第１および第２管状部材の間に配置されているネジ山、ならびにこの第１および第２管状部材の間の基部の支点に隣接して配置されているくぼみを含む、方法。
（項目３０）
上記医療装置を使用して、医用流体を被験体へ投与する工程を含む、項目２９に記載の方法。
（項目３１）
投与する工程が、シリンジのバレルの中でプランジャーを動かすことを含む、項目３０に記載の方法。
（項目３２）
上記投与された医用流体に基づいて、上記被験体の画像を取得する工程を含む、項目３０または３１に記載の方法。
【手続補正２】
【補正対象書類名】特許請求の範囲
【補正対象項目名】全文
【補正方法】変更
【補正の内容】
【特許請求の範囲】
【請求項１】
ルアー取付具であって、該ルアー取付具は、
雄ルアーと、
該雄ルアーのまわりに配置されているルアーカラーと、
該雄ルアーと該ルアーカラーとの間のレセプタクルとを、備え、
該レセプタクルは、以下：
該雄ルアーの周囲に少なくとも部分的に延びている支点と、
該支点と該ルアーカラーの内側表面との間の拡張空間とを、
含む基部を備える、ルアー取付具。
【請求項２】
前記拡張空間が、前記支点から、前記レセプタクルへ奥に延びている、請求項１に記載の取付具。
【請求項３】
前記拡張空間が、前記支点のまわりに同心円状に配置されている、請求項１または２に記載の取付具。
【請求項４】
前記拡張空間が、前記レセプタクルに向かい軸方向にネジ山の直下に配置されている、請求項１、２または３に記載の取付具。
【請求項５】
前記支点が、おおむね環状の回転誘導構造を含み、前記拡張空間がおおむね環状の溝を含む、請求項１、２、３または４に記載の取付具。
【請求項６】
ルアー取付具であって、
雄ルアーと、
該雄ルアーのまわりに配置されているルアーカラーであって、該ルアーカラーはおおむね円錐形の内側表面を備える、ルアーカラーと、
該雄ルアーと該ルアーカラーとの間のレセプタクルであって、該レセプタクルは基部を備える、レセプタクルとを、
備える、ルアー取付具。
【請求項７】
前記ルアーカラーの円錐形の内側表面が、該ルアーカラーの端部から前記レセプタクルの基部へとおおむね収束する幾何学を含む、請求項６に記載の取付具。
【請求項８】
前記雄ルアーが、おおむね円錐形の外側表面を含む、請求項６または７のいずれか一項に記載の取付具。
【請求項９】
前記おおむね円錐形の外側表面が、前記雄ルアーの先端から前記レセプタクルの基部へとおおむね発散する幾何学を有する、請求項８に記載の取付具。
【請求項１０】
前記レセプタクルが、前記基部に結合クリアランス間隙を含み、該結合クリアランス間隙は、雌ルアーの半径方向の厚みに加え追加の半径方向のクリアランスに等しい半径方向の寸法を含む、請求項１〜９のいずれか一項に記載の取付具。
【請求項１１】
前記ルアー取付具が、ネジ山補助圧縮取付具を含む、請求項１〜１０のいずれか一項に記載の取付具。
【請求項１２】
前記ルアー取付具が、放射能遮蔽材料を含む、請求項１〜１１のいずれか一項に記載の取付具。
【請求項１３】
前記ルアー取付具は、シリンジ、管状材料、止め栓、医療装置、またはそれらの組み合わせの部品である、請求項１〜１２のいずれか一項に記載の取付具。
【請求項１４】
前記ルアー取付具は、容器の部品であり、該容器が、放射性医薬品、造影剤、体液、医用流体、物質、またはそれらの組み合わせを含む、請求項１〜１３のいずれか一項に記載の取付具。
【請求項１５】
雄ルアーおよび雌ルアーを接続させる方法であって、該方法は：
雄ルアーのまわりに雌ルアーを、おおむね軸方向に該雌ルアーおよび該雄ルアーの間の接合面へ、受け入れる工程と、
該雌ルアーの外側部分を該雄ルアーのまわりの構造内のネジ山路にそって誘導する工程と、
該外側部分に該雄ルアーおよび該構造の間の該接合面に対して、１つ以上の方向にクリアランスを設ける工程と、
を含み、ここで、
該外側部分に１つ以上の方向にクリアランスを設ける工程が、支点の近くで、おおむね軸方向に該接合面より深く、くぼみへ向かって該外側部分を変形させる工程を含む、
方法。